(57)【特許請求の範囲】
【請求項１】
ユーザが指示を入力する操作部に、前記操作部を覆う脱着可能なキーシートを装着する携帯電子機器において、
前記キーシートに設置された記憶素子が記憶している情報を読み出す情報通信手段と、
前記情報通信手段が読み出した情報にもとづいて動作する制御手段とを備え、
前記情報通信手段は、情報を記憶素子に記憶させる
ことを特徴とする携帯電子機器。
【請求項２】
制御手段の制御に従って発光する発光手段を含み、
キーシートは、前記発光手段が発した光を通過させる
請求項１記載の携帯電子機器。
【請求項３】
情報を表示する表示手段を含み、
記憶素子は、前記表示手段に表示させる情報の言語を示す言語情報を記憶し、
情報通信手段は、前記記憶素子が記憶している言語情報を読み出し、
制御手段は、前記情報通信手段が読み出した言語情報が示す言語で前記表示手段に情報を表示させる
請求項１または請求項２記載の携帯電子機器。
【請求項４】
情報通信手段は、近傍に記憶素子が設置されているか否かを検知し、
制御手段は、前記情報通信手段が、近傍に前記記憶素子が設置されていることを検知しない場合に、近傍に前記記憶素子が設置される前の状態に遷移して動作する
請求項１から請求項３のうちいずれか１項に記載の携帯電子機器。
【請求項５】
通信ネットワークを介して他のコンピュータと情報を送受信する通信手段を備えた
請求項１から請求項４のうちいずれか１項に記載の携帯電子機器。
【請求項６】
記憶素子は、使用可能な金額を示す金額情報と、通信ネットワークを介して接続されるコンピュータのアドレスを示すアドレス情報とを記憶し、
通信手段は、情報通信手段が前記記憶素子から読み出したアドレス情報にもとづいて、前記コンピュータと情報を送受信し、
制御手段は、前記通信手段が送受信した情報に応じて、使用可能な金額を算出し、
情報通信手段は、算出した金額を示す金額情報を前記記憶素子に記憶させる
請求項５記載の携帯電子機器。
【請求項７】
携帯電子機器の設定を変更する設定変更方法において、
情報通信手段が、前記携帯電子機器の操作部を覆うように装着されたキーシートに設置されている記憶素子が記憶している情報を読み出す情報通信ステップと、
制御手段が、前記情報通信手段が前記情報通信ステップで読み出した情報にもとづいて動作する制御ステップとを備え、
前記情報通信手段が、情報を記憶素子に記憶させるステップをさらにを備えた
ことを特徴とする設定変更方法。
【請求項８】
ユーザが指示を入力する操作部に、前記操作部を覆う脱着可能なキーシートを装着する携帯電子機器に搭載される設定変更プログラムであって、
コンピュータに、
前記キーシートに設置された記憶素子が記憶している情報を読み出す情報通信処理と、
前記情報通信処理で読み出した情報にもとづいて動作する制御処理と、
情報を記憶素子に記憶させる処理とを実行させる
ための設定変更プログラム。
【発明の詳細な説明】
【技術分野】
【０００１】
本発明は、携帯電子機器のデザインと機能とを変更することができる携帯電子機器、設定変更方法、および設定変更プログラムに関する。
【背景技術】
【０００２】
携帯電話機のデザインに個性を求めるユーザは、個性的なデザインが施されたカバーを携帯電話機の外装に装着している。しかし、従来の携帯電話機のキー部分には、カバーを装着することができなかった。
【０００３】
そこで、キー部分を覆うキーシートを取り付けることができる通信端末が提案されている（例えば、特許文献１参照）。
【０００４】
特許文献２には、装置のキャリアまたはポーチに装着したデータ・キャリアが記憶している情報にもとづいた動作を行う装置が記載されている。
【０００５】
【特許文献１】特開２００４−３３６５８２号公報（段落００１０〜００４０、図１）
【特許文献２】特表２００４−５０６３５７号公報（段落００２６〜００４８、第１頁）
【発明の開示】
【発明が解決しようとする課題】
【０００６】
携帯電話機にキーシートを取り付けた場合に、携帯電話機の機能が変化することが好ましい。例えば、１台の携帯電話機を複数の人が共用する場合に、使用するユーザに応じて機能が変化することが好ましい。また、携帯電話機の出荷先の国ごとに、キーシートによってキー部分の文字が変更されることが好ましい。
【０００７】
特許文献２に記載されている装置は、装置のキャリアまたはポーチに装着したデータ・キャリアが記憶している情報にもとづいて動作を変更するが、デザインも変更できることが好ましい。
【０００８】
そこで、本発明は、携帯電子機器のデザインと機能とを変更することができる携帯電子機器、設定変更方法、および設定変更プログラムを提供することを目的とする。
【課題を解決するための手段】
【０００９】
本発明による携帯電子機器は、ユーザが指示を入力する操作部に、操作部を覆う脱着可能なキーシートを装着する携帯電子機器であって、キーシートに設置された記憶素子が記憶している情報を読み出す情報通信手段と、情報通信手段が読み出した情報にもとづいて動作する制御手段とを備え、情報通信手段は、情報を記憶素子に記憶させることを特徴とする。
【００１０】
制御手段の制御に従って発光する発光手段を含み、キーシートは、発光手段が発した光を通過させてもよい。
【００１１】
情報を表示する表示手段を含み、記憶素子は、表示手段に表示させる情報の言語を示す言語情報を記憶し、情報通信手段は、記憶素子が記憶している言語情報を読み出し、制御手段は、情報通信手段が読み出した言語情報が示す言語で表示手段に情報を表示させてもよい。
【００１２】
情報通信手段は、近傍に記憶素子が設置されているか否かを検知し、制御手段は、情報通信手段が、近傍に記憶素子が設置されていることを検知しない場合に、近傍に記憶素子が設置される前の状態に遷移して動作してもよい。
【００１３】
通信ネットワークを介して他のコンピュータと情報を送受信する通信手段を備えてもよい。また、記憶素子は、使用可能な金額を示す金額情報と、通信ネットワークを介して接続されるコンピュータのアドレスを示すアドレス情報とを記憶し、通信手段は、情報通信手段が記憶素子から読み出したアドレス情報にもとづいて、コンピュータと情報を送受信し、制御手段は、通信手段が送受信した情報に応じて、使用可能な金額を算出し、情報通信手段は、算出した金額を示す金額情報を記憶素子に記憶させてもよい。
【００１６】
本発明による設定変更方法は、携帯電子機器の設定を変更する設定変更方法であって、情報通信手段が、携帯電子機器の操作部を覆うように装着されたキーシートに設置されている記憶素子が記憶している情報を読み出す情報通信ステップと、制御手段が、情報通信手段が情報通信ステップで読み出した情報にもとづいて動作する制御ステップとを備え、 情報通信手段が、情報を記憶素子に記憶させるステップをさらにを備えたことを特徴とする。
【００１７】
本発明による設定変更プログラムは、ユーザが指示を入力する操作部に、操作部を覆う脱着可能なキーシートを装着する携帯電子機器に搭載される設定変更プログラムであって、コンピュータに、キーシートに設置された記憶素子が記憶している情報を読み出す情報通信処理と、情報通信処理で読み出した情報にもとづいて動作する制御処理と、情報を記憶素子に記憶させる処理とを実行させることを特徴とする。
【発明の効果】
【００１８】
本発明によれば、キーシートを装着して、携帯電子機器のデザインと機能（動作）とを変更することができる。
【００１９】
情報通信手段が、情報を記憶素子に記憶させるように構成されているので、情報を記憶させた記憶素子が設置されているキーシートを他の携帯電子機器に装着して、記憶素子に記憶させた情報をその携帯電子機器で利用することができる。
【００２０】
制御手段が、情報通信手段が記憶素子から読み出した言語情報が示す言語で表示手段に情報を表示するように構成されている場合には、表示手段が表示する情報の言語を言語情報に応じて変更することができる。したがって、共通の携帯電子機器に異なるキーシートを取り付けて異なる国々に出荷することができるので、携帯電子機器の生産性を向上させることができる。
【００２１】
制御手段は、情報通信手段が、近傍に記憶素子が設置されていることを検知しない場合に、所定の初期状態に遷移して動作するように構成されている場合には、携帯電子機器が共用されている場合に、記憶素子が記憶している情報を他の共用者に閲覧されることを防ぐことができる。
【００２２】
通信手段を備え、記憶素子が金額情報とアドレス情報とを記憶している場合には、金額情報が示す金額の範囲内で、通信網を介して商品等を購入することができる。
【発明を実施するための最良の形態】
【００２３】
実施の形態１．
本発明の第１の実施の形態について、図面を参照して説明する。図１は、本発明によるキーシート１１４が取り付けられた（装着された）携帯電話機（携帯電子機器）２００の第１の実施の形態の構成を示す断面図である。図２は、本発明によるキーシート１１４が取り付けられた携帯電話機２００の正面透過図である。
【００２４】
図１および図２に示すキーシート１１４は、プラスチックプレート１０１、ゴムシート１０３、およびＲＦＩＤ（Ｒａｄｉｏ  Ｆｒｅｑｕｅｎｃｙ  ＩＤｅｎｔｉｆｉｃａｔｉｏｎ）チップ（記憶素子）１００を含み、両面テープ等で携帯電話機２００に固定される。なお、樹脂部は、プラスチックプレート１０１およびゴムシート１０３によって実現される。
【００２５】
図１および図２に示す携帯電話機２００は、プリント基板１１３、ＥＬ（Ｅｌｅｃｔｒｏｌｕｍｉｎｅｓｃｅｎｃｅ）シート（発光手段）１０８、キーＦＰＣ（Ｆｌｅｘｉｂｌｅ  Ｐｒｉｎｔｅｄ  Ｃｉｒｃｕｉｔ）１１２、キーパッド１０５、メタルドーム１０７、検知部（情報通信手段）１０９、制御ＩＣ（Ｉｎｔｅｇｒａｔｅｄ  Ｃｉｒｃｕｉｔ）１１１、コネクタ１０６、コネクタ１１０、および筐体１１５を含む。
【００２６】
携帯電話機２００の筐体１１５は、直方体の１つの面に凹部が設けられ、その凹部にプリント基板１１３とキーＦＰＣ１１２とが相対して設置される。そして、プリント基板１１３のキーＦＰＣ１１２と向かい合う面には、携帯電話機２００の各部を制御する制御ＩＣ１１１、ＲＦＩＤチップ１００と情報を送受信する検知部１０９、ＥＬシート１０８とプリント基板１１３とを接続するコネクタ１０６、およびキーＦＰＣ１１２とプリント基板１１３とを接続するコネクタ１１０が設置される。
【００２７】
キーＦＰＣ１１２におけるプリント基板１１３に対して外側の面には、押下されると変形するメタルドーム１０７、メタルドーム１０７の変形を検出するキーパッド１０５が設置される。キーＦＰＣ１１２は、キーパッド１０５がメタルドーム１０７の変形を検出した場合に、メタルドーム１０７が変形したことを示す信号を、コネクタ１１０、およびプリント基板１１３を介して、制御ＩＣ（制御手段）１１１に出力する。また、メタルドーム１０７に接するようにＥＬシート１０８が設置される。また、キーＦＰＣ１１２におけるプリント基板１１３に向かい合う面には、キーＦＰＣ１１２を支持する支持体１１７が設置される。
【００２８】
なお、携帯電話機２００には、ユーザによってプラスチックプレート１０１等を介してキーＦＰＣ１１２に設置されたメタルドーム１０７が押下されて指示が入力される。そこで、メタルドーム１０７が設置されている領域を操作部という。キーシート１１４は、この操作部を覆うように取り付けられる。
【００２９】
キーシート１１４は、ゴムシート１０３に設けられた凸部（押し子ともいう。）１０４が携帯電話機２００のメタルドーム１０７に対応（対向）する位置でＥＬシート１０８に接するように設置される。プラスチックプレート１０１は、ゴムシート１０３の凸部１０４が設けられている面の反対側の面に接して設置される。プラスチックプレート１０１のゴムシート１０３に接する面には、各キー（ボタン）を示す文字等が印刷される。図１に示す例では、プラスチックプレート１０１における印刷されている部分１１６を斜線で示している。
【００３０】
ＥＬシート１０８におけるゴムシート１０３の凸部１０４側の面全体は、コネクタ１０６を介して制御ＩＣ１１１の制御に従って発光する。プラスチックプレート１０１およびゴムシート１０３は、ＥＬシート１０８が発した光を透過させる。なお、プラスチックプレート１０１において印刷されている部分１１６は、ＥＬシート１０８が発した光を透過させず、プラスチックプレート１０１において印刷されていない部分は、ＥＬシート１０８が発した光の全部を透過させる。図２に示す例では、印刷されていない部分（数字キーや、矢印キー等の部分）を白抜きで示している。なお、プラスチックプレート１０１において印刷されている部分１１６の光の透過率を変化させてＥＬシート１０８が発した光の一部を透過させ、光の濃淡を表現してもよい。
【００３１】
ゴムシート１０３における携帯電話機２００の検知部１０９に対向する位置には、ＲＦＩＤチップ１００が設置される。検知部１０９は、近傍にＲＦＩＤチップ１００が設置されたことを検知する。そして、検知部１０９は、制御ＩＣ１１１の制御に従ってＲＦＩＤチップ１００と情報を送受信する。
【００３２】
ＲＦＩＤチップ１００には、キーシート１１４の製造元によって、例えば、携帯電話機２００が着信時に発する着信音を示す情報や、携帯電話機２００の表示手段（図示せず）に、着信時や着信待ち受け時に表示させる画像データ、ゲームのプログラム、通信ネットワークを介して接続するコンピュータのＩＰアドレスやＵＲＬ（Ｕｎｉｆｏｒｍ  Ｒｅｓｏｕｒｃｅ  Ｌｏｃａｔｏｒ）等が予め記録されている。
【００３３】
なお、図１および図２に示す例では、キーシート１１４は、筐体１１５と接する部分で両面テープ等を用いて携帯電話機２００に固定されている。
【００３４】
なお、携帯電話機２００は、コンピュータに、キーシート１１４に設置されたＲＦＩＤチップ１００が記憶している情報を読み出す情報通信処理と、情報通信処理で読み出した情報にもとづいて動作する制御処理とを実行させることを特徴とする設定変更プログラムを搭載している。
【００３５】
次に、本発明の第１の実施の形態の動作について、図面を参照して説明する。図３は、本発明の第１の実施の形態の動作を説明するフローチャートである。
【００３６】
キーシート１１４は、キーシート１１４の製造元によってＲＦＩＤチップ１００に情報が記録され、販売される。
【００３７】
キーシート１１４を購入したユーザによって、キーシート１１４が携帯電話機２００に取り付けられ（ステップＳ１０１）、携帯電話機２００が電源オン操作された場合に（ステップＳ１０２）、検知部１０９は、ＲＦＩＤチップ１００が近傍に設置されたことを検知する（ステップＳ１０３）。
【００３８】
制御ＩＣ１１１は、ＲＦＩＤチップ１００が近傍に設置されたことを検知した場合に、表示手段に、ユーザにＲＦＩＤチップ１００が記憶している情報にもとづく動作を実行するか否かを選択させる画面を表示させる。
【００３９】
制御ＩＣ１１１は、ユーザにＲＦＩＤチップ１００が記憶している情報にもとづく動作を実行することを選択された場合に（ステップＳ１０４のＹ）、検知部１０９に、ＲＦＩＤチップ１００が記憶している情報を受信させる（ステップＳ１０５）。制御ＩＣ１１１は、検知部１０９がＲＦＩＤチップ１００から受信した情報にもとづく動作を実行する（ステップＳ１０６）。例えば、ＲＦＩＤチップ１００が記憶している着信音を着信時に鳴動させるように設定したり、ＲＦＩＤチップ１００が記憶している画像データを着信待ち受け時に表示手段に表示させるように設定したりする。
【００４０】
検知部１０９は、所定の時間間隔（例えば、数秒ごと。）に、近傍にＲＦＩＤチップ１００が設置されているか否かを確認する。なお、検知部１０９が行うこの確認動作は、携帯電話機２００が充電中や電源オフ状態であっても、バックアップ用バッテリ等を用いて、所定の時間間隔で行われることが好ましい。
【００４１】
制御ＩＣ１１１は、検知部１０９が近傍にＲＦＩＤチップ１００が設置されていないこと確認した場合に（ステップＳ１０７のＮ）、初期状態の動作を実行する。すなわち、制御ＩＣ１１１は、キーシート１１４が取り外され、検知部１０９が近傍にＲＦＩＤチップ１００が設置されていることを検知しない場合に、設定をリセットし（ステップＳ１０８）、キーシート１１４が取り付けられる前の動作（初期状態の動作）を実行する。そして、新たにキーシート１１４が取り付けられた場合に、上述したステップＳ１０１以降の動作を行う。
【００４２】
本実施の形態によれば、キーシート１１４を取り替え可能なように構成したので、携帯電話機２００のキー部分のデザインを変更することができる。また、本実施の形態によれば、キーシート１１４にＲＦＩＤチップ１００が設置されているので、携帯電話機２００を、ＲＦＩＤチップ１００が記憶している情報にもとづいて動作させることができる。
【００４３】
したがって、本実施の形態によれば、ＲＦＩＤチップ１００が設置されているキーシート１１４を取り替え可能なように構成したので、携帯電話機２００のキー部分のデザインと、携帯電話機２００の動作とを変更することができる。
【００４４】
また、プラスチックプレート１０１に文字等を印刷するように構成したので、ゴムシート１０３に印刷する場合に比べて、容易に文字等を印刷することができる。また、プラスチックプレート１０１におけるゴムシート１０３に向かい合う面に印刷するように構成したので、ユーザに印刷されている部分１１６が触られたりして、印刷（塗装）が剥がれることを防ぐことができる。
【００４５】
また、全面が発光するＥＬシート１０８が操作部を照光するように構成したので、キーシート１１４のデザインの幅を拡大することができる。
【００４６】
実施の形態２．
本発明の第２の実施の形態について説明する。本発明の第２の実施の形態の構成は、図１および図２に示す構成と同様なため、各構成要素には図１および図２と同じ符号を付し、説明を省略する。
【００４７】
なお、本実施の形態において、ＲＦＩＤチップ１００は、検知部９が送信した情報を記憶する。
【００４８】
次に、本発明の第２の実施の形態の動作について、図面を参照して説明する。図４は、本発明の第２の実施の形態の動作を説明するフローチャートである。
【００４９】
キーシート１１４を購入したユーザによって、キーシート１１４が携帯電話機２００に取り付けられ（ステップＳ２０１）、携帯電話機２００が電源オン操作された場合に（ステップＳ２０２）、検知部１０９は、ＲＦＩＤチップ１００が近傍に設置されたことを検知する（ステップＳ２０３）。
【００５０】
制御ＩＣ１１１は、ＲＦＩＤチップ１００が近傍に設置されたことを検知し、プラスチックプレート１０１、およびゴムシート１０３を介してメタルドーム１０７が押下され、ＲＦＩＤチップ１００に記憶させる情報が入力された場合に（ステップＳ２０４のＹ）、検知部１０９に、入力された情報をＲＦＩＤチップ１００に記憶させる（ステップＳ２０５）。なお、制御ＩＣ１１１は、携帯電話機２００の記憶手段が既に記憶している情報を、ＲＦＩＤチップ１００に記憶させてもよい。
【００５１】
検知部１０９がＲＦＩＤチップ１００に記憶させる情報とは、例えば、表示手段に表示させる言語の種類を示す情報や、電話帳等の情報である。
【００５２】
制御ＩＣ１１１は、検知部１０９が近傍にＲＦＩＤチップ１００が設置されていないこと確認した場合に（ステップＳ２０６のＮ）、初期状態の動作を実行する。したがって、制御ＩＣ１１１は、キーシート１１４が取り外され、検知部１０９が近傍にＲＦＩＤチップ１００が設置されていることを検知しない場合に、設定をリセットし（ステップＳ２０７）、キーシート１１４が取り付けられる前の動作（初期状態の動作）を実行する。
【００５３】
そして、ユーザによって、キーシート１１４が携帯電話機２００に取り付けられ（ステップＳ２０８）、携帯電話機２００が電源オン操作された場合に（ステップＳ２０９）、検知部１０９は、ＲＦＩＤチップ１００が近傍に設置されたことを検知する（ステップＳ２１０）。
【００５４】
制御ＩＣ１１１は、ＲＦＩＤチップ１００が近傍に設置されたことを検知した場合に、表示手段に、ユーザにＲＦＩＤチップ１００が記憶している情報にもとづく動作を実行するか否かを選択させる画面を表示させる。
【００５５】
制御ＩＣ１１１は、ユーザにＲＦＩＤチップ１００が記憶している情報にもとづく動作を実行することを選択された場合に（ステップＳ２１１のＹ）、検知部１０９に、ＲＦＩＤチップ１００が記憶している情報を受信させる（ステップＳ２１２）。制御ＩＣ１１１は、検知部１０９がＲＦＩＤチップ１００から受信した情報にもとづく動作を実行する（ステップＳ２１３）。
【００５６】
具体的には、例えば、ＲＦＩＤチップ１００が表示手段に表示させる言語の種類を示す情報を記憶していた場合に、制御ＩＣ１１１は、その情報が示す言語を用いて表示手段に文字等を表示させてもよい。また、ＲＦＩＤチップ１００が電話帳を記憶していた場合に、記憶手段に電話帳を記憶させてもよい。また、制御ＩＣ１１１は、ＲＦＩＤチップ１００が着信音を記憶していた場合に、その着信音を着信時に発する着信音に設定してもよい。また、制御ＩＣ１１１は、ＲＦＩＤチップ１００が画像データを記憶していた場合に、その画像データを着信時や待ち受け時に表示させる画像データに設定してもよい。また、制御ＩＣ１１１は、ＲＦＩＤチップ１００が通信ネットワークを介して接続するコンピュータのＩＰアドレスやＵＲＬを記憶していた場合に、そのＩＰアドレスやＵＲＬを通信ネットワークを介した接続先のブックマーク（ショートカット）として記憶手段に記憶させてもよい。
【００５７】
制御ＩＣ１１１は、検知部１０９が近傍にＲＦＩＤチップ１００が設置されていないこと確認した場合に（ステップＳ２１４のＮ）、初期状態の動作を実行する。すなわち、制御ＩＣ１１１は、キーシート１１４が取り外され、検知部１０９が近傍にＲＦＩＤチップ１００が設置されていることを検知しない場合に、設定をリセットし（ステップＳ２１５）、キーシート１１４が取り付けられる前の動作（初期状態の動作）を実行する。
【００５８】
なお、携帯電話機２００は、その後に他のキーシートが取り付けられた場合、第１の実施の形態のステップＳ１０１以降の動作、または本実施の形態のステップＳ２０１以降の動作をそのキーシート１１４に設置されているＲＦＩＤチップ１００が記憶している情報に応じて行う。
【００５９】
また、制御ＩＣ１１１は、取り付けられた他のキーシートに設置されているＲＦＩＤチップが他の言語の種類を示す情報を記憶している場合に、その情報が示す言語を用いて表示手段に文字等を表示させる。また、ＲＦＩＤチップが他の電話帳を記憶していた場合、記憶手段にその電話帳を記憶させる。
【００６０】
本実施の形態によれば、ＲＦＩＤチップ１００に電話帳等の情報を記憶させ、検知部１０９が近傍にＲＦＩＤチップ１００が設置されていることを検知しない場合に、設定をリセットするので、携帯電話機２００を共用している他のユーザに電話帳等を閲覧され、個人情報等を知られることを防ぐことができる。
【００６１】
また、キーシート１１４を取り替え可能なように構成したので、第１の実施の形態と同様に、携帯電話機２００のキー部分のデザインを変更することができる。また、キー部分に表示されている文字の言語と、表示手段に表示させる文字の言語とを、キーシート１１４に印刷されている文字、およびＲＦＩＤチップ１００が記憶している言語の種類を示す情報にもとづいて変更することができる。
【００６２】
つまり、予めＲＦＩＤチップ１００が記憶している言語情報が示す言語で、キーシート１１４のプラスチックプレート１０１に文字等を印刷した場合には、キーシート１１４の出荷先の国の言語に応じて、そのキーシート１１４が装着された携帯電話機２００の表示手段が表示する言語と、印刷されている言語とを同一の言語にすることができる。そして、共通の携帯電話機２００に異なるキーシート１１４を取り付けて、異なる国々に出荷することができるので、携帯電話機２００の生産性を向上させることができる。
【００６３】
また、ユーザに、使用する言語に応じてキーシート１１４を選択する機会を提供することができる。
【００６４】
なお、本実施の形態の説明では、ＲＦＩＤチップ１００が電話帳等を記憶するものとして説明したが、本発明はこれに限定されない。例えば、携帯電話機２００の記憶手段が複数のユーザの電話帳等をそれぞれ記憶し、ＲＦＩＤチップ１００がキーシート１１４のユーザを識別する情報を記憶する。そして、制御ＩＣ１１１が、ＲＦＩＤチップ１００が記憶しているユーザを識別する情報にもとづいて、そのユーザの電話帳のみを表示手段に表示可能にしてもよい。
【００６５】
実施の形態３．
本発明の第３の実施の形態について説明する。本発明の第２の実施の形態の構成は、図１および図２に示す構成と同様なため、各構成要素には図１および図２と同じ符号を付し、説明を省略する。
【００６６】
なお、本実施の形態において、ＲＦＩＤチップ１００には、キーシート１１４の製造元によって、所定のウェブサイトで金銭として利用できる金額を示す情報（以下、金額情報という。）と、そのウェブサイトが開設されているコンピュータのＩＰアドレスやＵＲＬを示す情報と、そのウェブサイトにログインするための情報とが記録されている。
【００６７】
次に、本発明の第３の実施の形態の動作について、図面を参照して説明する。図５は、本発明の第３の実施の形態の動作を説明するフローチャートである。
【００６８】
キーシート１１４の製造元によって、ＲＦＩＤチップ１００に、金額情報と、その金額情報が示す金額の金銭を利用することができるウェブサイトが開設されているコンピュータのＩＰアドレスやＵＲＬを示す情報と、そのウェブサイトにログインするための情報とが記録される。
【００６９】
また、携帯電話機２００は、通信ネットワークを介してコンピュータと情報を送受信する通信手段（図示せず）を備える。
【００７０】
キーシート１１４を購入したユーザによって、キーシート１１４が携帯電話機２００に取り付けられ（ステップＳ３０１）、携帯電話機２００が電源オン操作された場合に（ステップＳ３０２）、検知部１０９は、ＲＦＩＤチップ１００が近傍に設置されたことを検知する（ステップＳ３０３）。
【００７１】
制御ＩＣ１１１は、ＲＦＩＤチップ１００が近傍に設置されたことを検知した場合に、表示手段に、ユーザにＲＦＩＤチップ１００が記憶している情報にもとづく動作を実行するか否かを選択させる画面を表示させる。
【００７２】
制御ＩＣ１１１は、ユーザがＲＦＩＤチップ１００が記憶している情報にもとづく動作を実行することを選択した場合に（ステップＳ３０４のＹ）、検知部１０９に、ＲＦＩＤチップ１００が記憶している情報を受信させる（ステップＳ３０５）。制御ＩＣ１１１は、検知部１０９がＲＦＩＤチップ１００から受信した情報にもとづいて、通信ネットワークを介してウェブサイトにログインする処理を実行する（ステップＳ３０６）。
【００７３】
制御ＩＣ１１１は、プラスチックプレート１０１、およびゴムシート１０３を介してメタルドーム１０７が押下され、指示が入力された場合に、携帯電話通信網等の通信ネットワークに接続する通信手段に、指示を示す情報をウェブサイトが開設されているコンピュータに通信ネットワークを介して送信させる。
【００７４】
具体的には、ユーザに、商品を購入する指示が入力された場合に、制御ＩＣ１１１は、通信手段に、商品を購入することを示す情報をウェブサイトが開設されているコンピュータに通信ネットワークを介して送信させる。
【００７５】
制御ＩＣ１１１は、ユーザが商品を購入した場合に（ステップＳ３０７）、ＲＦＩＤチップ１００が記憶している金額情報が示す金額から商品購入代金を差し引いた金額を示す金額情報を、検知部１０９に、ＲＦＩＤチップ１００へ記憶させる（ステップＳ３０８）。
【００７６】
制御ＩＣ１１１は、検知部１０９が近傍にＲＦＩＤチップ１００が設置されていないこと確認した場合に（ステップＳ３０９のＮ）、初期状態の動作を実行する。すなわち、制御ＩＣ１１１は、キーシート１１４が取り外され、検知部１０９が近傍にＲＦＩＤチップ１００が設置されていることを検知しない場合に、設定をリセットし（ステップＳ３１０）、キーシート１１４が取り付けられる前の動作（初期状態の動作）を実行する。そして、制御ＩＣ１１１は、記憶手段が記憶している情報を消去してもよい。
【００７７】
なお、携帯電話機２００は、その後に他のキーシートが取り付けられた場合、第１の実施の形態のステップＳ１０１以降の動作、第２の実施の形態のステップＳ２０１以降の動作、または本実施の形態のステップＳ３０１以降の動作をそのキーシート１１４に設置されているＲＦＩＤチップ１００が記憶している情報に応じて行う。
【００７８】
本実施の形態によれば、金額情報等を記憶したＲＦＩＤチップ１００が設置されたキーシート１１４を携帯電話機２００に取り付ける構成にしたので、通信ネットワークを介して商品や、ソフトウェア等のコンテンツを購入することができる。
【００７９】
実施の形態４．
次に、本発明の第４の実施の形態について、図面を参照して説明する。図６は、本発明によるキーシート１１４が取り付けられたゲーム機３００の第４の実施の形態の構成を示す正面図である。
【００８０】
図６に示すゲーム機３００は、情報を表示する表示部３０３が設置されている上部筐体３１０、指示を入力するボタンが設置されている下部筐体３２０、上部筐体３１０と下部筐体３２０とを接続するヒンジ部３３０とを含む。なお、下部筐体３２０には、ゲームのプログラムを記憶している記憶媒体３０８が装着されている。
【００８１】
図６に示すゲーム機３００の下部筐体３２０には、図１に示す断面のキーシート１１４が取り付けられている。そして、下部筐体３２０の構成は、図１に例示した断面図の構成と同様である。したがって、第１の実施の形態と同様な構成要素には図１と同じ符号を付し、説明を省略する。
【００８２】
図６に示す例では、プラスチックプレート１０１に印刷されていない部分を白抜きで示している。
【００８３】
本実施の形態におけるＲＦＩＤチップ１００には、キーシート１１４の製造元によって、例えば、ゲームの登場人物や、ゲームで登場人物に用いられる道具等の情報が記録されている。
【００８４】
本実施の形態における制御ＩＣ１１１は、記憶媒体３０８が記憶しているゲームのプログラムに従って動作する。そして、検知部１０９を介して、ＲＦＩＤチップ１００が記憶しているゲームの登場人物やゲームで登場人物に用いられる道具等の情報を読み出してゲームに登場させたり、ＲＦＩＤチップ１００が記憶している登場人物のパラメータを読み出してゲームに反映させたり、ＲＦＩＤチップ１００にゲームの登場人物のパラメータを記憶させたりする。
【００８５】
本実施の形態によれば、制御ＩＣ１１１が、検知部１０９を介してＲＦＩＤチップ１００が記憶しているゲームの登場人物やゲームで登場人物に用いられる道具等の情報を読み出すので、ＲＦＩＤチップ１００が記憶している情報をゲームに反映させることができる。
【００８６】
また、本実施の形態によれば、制御ＩＣ１１１が、検知部１０９を介してＲＦＩＤチップ１００にゲームの登場人物のパラメータを記憶させるので、ユーザは、情報を記憶しているＲＦＩＤチップ１００が設置されているキーシート１１４を持ち運び、他のゲーム機に取り付けることができる。そのため、他のゲーム機で実行するゲームで、ＲＦＩＤチップ１００が記憶しているゲームの登場人物のパラメータを使用することができる。また、キーシート１１４を取り外せば、他人にゲームの登場人物のパラメータ等を操作されることを防ぐことができる。
【００８７】
なお、以上に述べた各実施の形態では、キーシート１１４は、携帯電話機２００、およびゲーム機３００に取り付けられるが、本発明はこれに限定されない。キーシート１１４は、例えば、ノート型パソコン、ＰＨＳ（Ｐｅｒｓｏｎａｌ  Ｈａｎｄｙ  ｐｈｏｎｅ  Ｓｙｓｔｅｍ）端末、およびＰＤＡ（Ｐｅｒｓｏｎａｌ  Ｄａｔａ  Ａｓｓｉｓｔａｎｃｅ，  Ｐｅｒｓｏｎａｌ  Ｄｉｇｉｔａｌ  Ａｓｓｉｓｔａｎｔｓ）等の携帯電子機器に取り付けられてもよい。
【産業上の利用可能性】
【００８８】
本発明は、デザインと動作とを変更する携帯電話機、ゲーム機、ノート型パソコン、ＰＨＳ端末、およびＰＤＡ等の携帯電子機器に適用することができる。
【図面の簡単な説明】
【００８９】
【図１】キーシートが取り付けられた携帯電話機の構成を示す断面図である。
【図２】キーシートが取り付けられた携帯電話機の正面透過図である。
【図３】第１の実施の形態の動作を説明するフローチャートである。
【図４】第２の実施の形態の動作を説明するフローチャートである。
【図５】第３の実施の形態の動作を説明するフローチャートである。
【図６】キーシートが取り付けられたゲーム機の構成を示す正面図である。
【符号の説明】
【００９０】
１００  ＲＦＩＤチップ
１０１  プラスチックプレート
１０３  ゴムシート
１０４  凸部
１０５  キーパッド
１０６、１１０  コネクタ
１０７  メタルドーム
１０８  ＥＬシート
１０９  検知部
１１１  制御ＩＣ
１１２  キーＦＰＣ
１１３  プリント基板
１１４  キーシート
１１５  筐体
１１６  印刷されている部分
１１７  支持体
２００  携帯電話機
３００  ゲーム機
３０３  表示部
３０８  記憶媒体
３１０  上部筐体
３２０  下部筐体
３３０  ヒンジ部
【図１】
0004797785.tif 000002
【図２】
0004797785.tif 000003
【図３】
0004797785.tif 000004
【図４】
0004797785.tif 000005
【図５】
0004797785.tif 000006
【図６】
0004797785.tif 000007